(57)【要約】【課題】蓋体の操作感がソフトで且つ蓋体を確実に閉めることができるクーラーボックスの提供。【解決手段】このクーラーボックスは、ロック機構１３を有する。ロック機構１３は、クーラー本体１１に設けられたアンカー１８と、蓋体１２に設けられたフック１９とを有する。アンカー１８はＵ字板部２３、２４を備え、このＵ字状板部２３、２４は、弾性変形部２６を有する。フック１９は、係合ピン３１を備えている。蓋体１２が閉じられると、係合ピン３１が弾性変形部２６の背面３０に当接する。操作板３３が操作されると、操作板３３に設けられた係止爪２８が弾性変形部２６を押圧する。係止爪２８と係合ピン３１によって弾性変形部２６が弾性変形しつつ挟み込まれる。【選択図】図７
2013215120.tif 000002
【特許請求の範囲】
【請求項１】
上面に開口を有するクーラー本体と、
当該クーラー本体に第１ヒンジを介して回動可能に設けられ、上記開口を閉塞する閉姿勢と上記開口を開放する開姿勢との間で姿勢変化する蓋体と、
当該蓋体を上記閉姿勢にロックするロック機構とを備え、
当該ロック機構は、
上記クーラー本体に設けられたアンカーと、
上記蓋体に設けられ、当該蓋体が上記閉姿勢であるときに上記アンカーに係合解除可能な状態で係合するフックとを有し、
上記アンカーは、
上記クーラー本体に固定されるベース板部と、
当該ベース部に突設され、上端面から下方に向かって溝が形成されたＵ字状板部とを備えており、
上記フックは、
上記蓋体に設けられ、当該蓋体が上記閉姿勢となったときに上記Ｕ字状板部に沿って上記ベース板部と上記Ｕ字状板部との間に挿入される係合ピンと、
上記蓋体に第２ヒンジを介して回動可能に設けられた操作板と、
当該操作板に突設された係止爪とを備えており、
当該係止爪は、上記蓋体が上記閉姿勢であるときに上記操作板が回動することによって、上記Ｕ字状板部の、上記溝に対して上記係合ピンと反対側の面に係合して上記係合ピンと協働して当該Ｕ字状板部を挟み込むように形成されているクーラーボックス。
【請求項２】
上記係合ピンは上記蓋体に設けられた金属製フレームと一体的に形成され、上記操作板は上記金属製フレームに支持されており、
上記操作板の回動中心軸は、上記係合ピンの近傍であって且つ当該係合ピンの軸方向と平行に配置されている請求項１に記載のクーラーボックス。
【発明の詳細な説明】
【技術分野】
【０００１】
この発明は、たとえば釣りその他のレジャーに使用されるクーラーボックスに関し、詳しくは、クーラーボックスの蓋体の開閉構造に関するものである。
【背景技術】
【０００２】
釣りその他のレジャーでは、クーラーボックスが使用されることが多い（例えば、非特許文献１参照）。クーラーボックスは、一般に、開口が形成された容器本体と、容器本体の開口を開閉する蓋体とを有する。特に釣りに使用されるクーラーでは、蓋体の開閉操作が簡単であること、及び蓋体が閉じられたときは、当該蓋体によって上記開口が確実に密封されることが要請される。かかる要請に対応して、従来のクーラーボックスでは、蓋体の開閉構造が改良されてきた。
【０００３】
従来のクーラーボックスでは、蓋体は、係合軸及び係止爪を備えた操作片を備えており、容器本体は、係合溝が形成された受け部を備えている。蓋体が閉められたときに、上記係合軸が容器本体の係合溝に嵌合し、その状態で操作片が操作されることによって上記係止爪が上記受け部の外面に係合する。これにより、蓋体が容器本体に圧接され、上記開口が密封される。
【先行技術文献】
【非特許文献】
【０００４】
【非特許文献１】SHIMANO 2012 Fishing Tackle Catalogue p329〜p334
【発明の概要】
【発明が解決しようとする課題】
【０００５】
しかしながら、上記受け部の係合溝に上記係合軸が嵌合した状態で、当該受け部に上記係止爪が係合するので、操作片の操作感が硬く、操作性が悪いという問題があった。その原因の一つは、上記係合溝に上記係合軸が嵌合すると、上記受け部の剛性が相対的に向上するので、上記操作片の係止爪が上記受け部に係合する際の当該受け部の変形量が小さくなることである。つまり、上記受け部が硬く変形しにくくなることにより、操作片の操作感が悪化すると考えられる。
【０００６】
本発明はかかる背景のもとになされたものであって、その目的は、蓋体の開閉時の操作感を向上させたクーラーボックスを提供することである。
【課題を解決するための手段】
【０００７】
(1) 本発明に係るクーラーボックスは、上面に開口を有するクーラー本体と、当該クーラー本体に第１ヒンジを介して回動可能に設けられ、上記開口を閉塞する閉姿勢と上記開口を開放する開姿勢との間で姿勢変化する蓋体と、当該蓋体を上記閉姿勢にロックするロック機構とを備える。このロック機構は、上記クーラー本体に設けられたアンカーと、上記蓋体に設けられ、当該蓋体が上記閉姿勢であるときに上記アンカーに係合解除可能な状態で係合するフックとを有する。上記アンカーは、上記クーラー本体に固定されるベース板部と、当該ベース部に突設され、上端面から下方に向かって溝が形成されたＵ字状板部とを備えている。上記フックは、上記蓋体に設けられ、当該蓋体が上記閉姿勢となったときに上記Ｕ字状板部に沿って上記ベース板部と上記Ｕ字状板部との間に挿入される係合ピンと、上記蓋体に第２ヒンジを介して回動可能に設けられた操作板と、当該操作板に突設された係止爪とを備えている。この係止爪は、上記蓋体が上記閉姿勢であるときに上記操作板が回動することによって、上記Ｕ字状板部の、上記溝に対して上記係合ピンと反対側の面に係合して上記係合ピンと協働して当該Ｕ字状板部を挟み込むように形成されている。
【０００８】
この構成によれば、蓋体が閉姿勢になれば、上記係合ピンが上記ベース板部と上記Ｕ字状板部との間に挿入される。このとき、上記係合ピンは、上記Ｕ字状板部に沿って配置され、当該Ｕ字状板部の壁面に当接する。この状態で上記操作板が操作されると、上記係止爪が上記Ｕ字状板部と係合し、上記係合ピンとの間で当該Ｕ字状板部を挟み込む。このＵ字状板部に上記溝が形成されているから、上記係止爪が上記Ｕ字状板部と係合すると、上記溝が押しつぶされながら上記Ｕ字状板部が容易に変形する。したがって、当該クーラーボックスの使用者にとって、操作板を操作する際の操作感がソフトである。また、上記Ｕ字状板部の変形により生じた弾性エネルギーは、上記係止爪及び係合ピンによる上記Ｕ字状板部の確実な挟持を維持する。
【０００９】
(2) 上記係合ピンは上記蓋体に設けられた金属製フレームと一体的に形成され、上記操作板は上記金属製フレームに支持されており、上記操作板の回動中心軸は、上記係合ピンの近傍であって且つ当該係合ピンの軸方向と平行に配置されているのが好ましい。
【００１０】
この構成によれば、金属製フレームが蓋体に固定され、この金属製フレームに操作板が取り付けられている。したがって、蓋体に対する操作板のいわゆるアライメントが確実に維持され、蓋体が開閉される際の操作板の操作感がさらに向上する。しかも、上記操作板の回動中心軸が上記係合ピンの近傍に配置されることから、上記係合ピンと上記係止爪によって上記Ｕ字状板部が確実に挟持される。
【発明の効果】
【００１１】
この発明によれば、Ｕ字状板部の変形により容易に係止爪がＵ字状板部と係合するから、当該クーラーボックスの使用者にとって、操作板を操作する際の操作感がソフトである。しかも、上記係止片と係合ピンとによって上記Ｕ字状板部が挟持されるから、蓋体の閉状態が確実に維持される。
【図面の簡単な説明】
【００１２】
【図１】図１は、本発明の一実施形態に係るクーラーボックス１０の外観斜視図である。
【図２】図２は、本発明の一実施形態に係るクーラーボックス１０の蓋体１２の要部拡大斜視図である。
【図３】図３は、本発明の一実施形態に係るクーラーボックス１０のクーラー本体１１の要部拡大斜視図である。
【図４】図４は、本発明の一実施形態に係るクーラーボックス１０のアンカー１８の構造を示す図である。
【図５】図５は、本発明の一実施形態に係るクーラーボックス１０のフック１９の要部拡大斜視図である。
【図６】図６は、本発明の一実施形態に係るクーラーボックス１０のフレーム３６の構造を示す図である。
【図７】図７は、本発明の一実施形態に係るクーラーボックス１０のロック機構１３の拡大図である。
【図８】図８は、フレーム３６の変形例を示す図である。
【発明を実施するための形態】
【００１３】
以下、本発明の好ましい実施形態が、適宜図面が参照されながら説明される。なお、本実施の形態は、本発明に係るクーラーボックスの一態様にすぎず、本発明の要旨を変更しない範囲で実施態様が変更されてもよいことは言うまでもない。
【００１４】
図１は、本発明の一実施形態に係るクーラーボックス１０の外観斜視図である。同図では、蓋体１２が開かれた状態が示されている。また、図２は、蓋体１２の要部拡大斜視図である。
【００１５】
このクーラーボックス１０は、クーラー本体１１と、蓋体１２と、この蓋体１２が閉じられた状態を保持するロック機構１３とを備えている。
【００１６】
クーラー本体１１は、全体として直方体状に形成されており、内部に収容室１４が形成されている。また、クーラー本体１１の上面１５に開口１６が設けられており、この開口１６が上記収容室１４と連続している。クーラー本体１１は、既知の構造を備えている。すなわち、クーラー本体１１は、典型的には樹脂から構成されており、上記収容室１４を区画する壁は中空構造となっている。この壁の内部に断熱材が詰め込まれており、当該壁は高い断熱性能を発揮する。このため、上記収容室１４内が確実に保冷される。
【００１７】
クーラー本体１１の前面２０に凹部２１が形成されている。蓋体１２が閉姿勢となったとき、ロック機構１３が凹部２１内に配置されるようになっている。これにより、蓋体１２が閉姿勢の状態で当該蓋体１２とクーラー本体１１とがいわゆる面一状態となる。また、このクーラーボックス１０の使用者は、蓋体１２を開ける際に指を凹部２１に挿入させることができ、これにより、簡単にロック機構１３を操作して蓋体１２を開けることができる。
【００１８】
一方、蓋体１２は、クーラー本体１１にヒンジ１７（特許請求の範囲に記載された「第１ヒンジ」に相当）を介して取り付けられている。このため、蓋体１２は、上記開口１６を閉じる閉姿勢と、上記開口１６を開放する開姿勢（同図が示す姿勢）との間で姿勢変化することができるようになっている。蓋体１２も既知の構造を備えている。すなわち、蓋体１２は、クーラー本体１１の上面１５を覆う板状に形成されており、内部に空洞が形成されている。そして、この空洞に断熱材が詰め込まれており、蓋体１２は高い断熱性能を発揮する。その結果、上記収容室１４内が確実に保冷される。
【００１９】
ロック機構１３は、クーラー本体１１に側に設けられたアンカー１８と、蓋体１２側に設けられたフック１９とを有する。蓋体１２が閉姿勢になったときに上記フック１９が操作されることにより、後述のように当該フック１９がアンカー１８と係合する。これにより、蓋体１２が確実に閉じられ、クーラー本体１１内で密閉された収容室１４は、高い保冷効果を発揮する。
【００２０】
図３は、クーラー本体１１の要部拡大斜視図であって、アンカー１８の構造が示されている。また、図４は、アンカー１８の構造を示す図であり、（ａ）は平面図、（ｂ）は正面図、（ｃ）は右側面図である。
【００２１】
図３及び図４が示すように、アンカー１８は、クーラー本体１１の凹部２１に配置されている。図３では、凹部２１の一箇所のみにアンカー１８が配置された状態が示されているが、実際には図１が示すように、一対のアンカー１８がクーラー本体１１の長手方向２９に沿って並設されている。
【００２２】
図３及び図４が示すように、アンカー１８は、ベース板部２２と、このベース板部２２の両端に設けられた一対のＵ字状板部２３、２４とを有する。これらは樹脂（典型的にはポリオキシメチレン（ＰＯＭ）又はポリアミド（ＰＡ））により一体的に形成されている。ベース板部２２は、矩形の板状を呈している。本実施形態では、ベース板部２２は平板状に形成されているが、軽量化のために櫛状に形成されてもよい。このベース板部２２は、たとえばネジによりクーラー本体１１の前面２０に締結されている。
【００２３】
Ｕ字状板部２３は、同図が示すように溝２５が形成された弾性変形部２６と、脚部２７とを備えている。溝２５は、Ｕ字状板部２３の上端面３２から上下方向３４の下側に向かって形成されている。上記脚部２７は、ベース板部２２の端部に設けられている。この脚部２７は、ベース板部２２に連続して一体的に形成されており、クーラー本体１１の前方へ突出している。弾性変形部２６は、上記溝２５が形成されることによりＵ字状を呈しており、前後方向３５（長手方向２９及び上下方向３４と直交する方向）に弾性的に変形しやすくなっている。後述される係止爪２８が弾性変形部２６に係合することによって上記溝２５が狭まって弾性変形部２６が弾性的に変形する。
【００２４】
弾性変形部２６は、脚部２７に対して上記長手方向２９に沿って外側に突出している。このため、弾性変形部２６の背面３０（特許請求の範囲に記載された「Ｕ字状板部の壁面」に相当）が露出しており、後述のように係合ピン３１が弾性変形部２６の背面３０に当接するようになっている。なお、Ｕ字状板部２４もＵ字状板部２３と同様の構成である。
【００２５】
図５は、フック１９の要部拡大斜視図である。また、図６は、フレーム３６（特許請求の範囲に記載された「金属製フレーム」に相当）の構造を示す図であって、（ａ）は正面図、（ｂ）は右側面図である。
【００２６】
図２、図５及び図６が示すように、フック１９は、蓋体１２に設けられている。このフック１９は、操作板３３と、操作板３３に設けられた係止爪２８と、上記アンカー１８と係合する係合ピン３１とを備えている。
【００２７】
操作板３３は、フレーム３６を介して蓋体１２に固定されている。このフレーム３６は金属（典型的にはステンレス鋼）からなる。フレーム３６は、固定板部３７と、この固定板部３７の両端に設けられた一対のアーム３８、３９とを有する。固定板部３６は細長平板状を呈し、蓋体１２の内側面にネジにより固定されている。アーム３８、３９は、Ｌ字状に形成されている。アーム３８、３９の角部に上記係合ピン３１が内側に突設されている。この係合ピン３１は、アーム３８、３９と一体的に形成されている。もっとも、係合ピン３１がアーム３８、３９とは別部材として製作され、溶接等によりアーム３８、３９に固着されてもよい。また、アーム３８、３９の先端部に貫通孔４１が設けられており、この貫通孔４１に連結ピン４２が挿通されている。操作板３３は、連結ピン４２を介してフレーム３６に取り付けられており、当該連結ピン４２の回りに回動自在となっている。
【００２８】
操作板３３は、樹脂からなり、細長板状に形成されている。操作板３３は、図１及び図２が示すようにクーラー本体１１の長手方向２９に沿って配置されている。図５が示すように、操作板３３の内側面４３に取付用ボス４４が突設されている。この取付用ボス４４は、操作板３３と一体的に形成されている。上記連結ピン４２が取付用ボス４４に挿通されており、当該連結ピン４２、取付用ボス４４及びアーム３８、３９によりヒンジ４５（特許請求の範囲に記載された「第２ヒンジ」に相当）が構成されている。このヒンジ４５を中心にして操作板３３が回動するようになっている。また、操作板３３の内側面４３に上記係止爪２８が突設されている。この係止爪２８は、略三角形状の薄肉板状に形成されており、操作板３３と一体的に形成されている。各係止爪２８は、後述のようにアンカー１８の弾性変形部２６と係合するようになっている。
【００２９】
図７は、ロック機構１３の拡大図である。
【００３０】
図１の状態から蓋体１２が閉じられると、図７が示すように、係合ピン３１がアンカー１８の背面３０側に挿入される。具体的には、係合ピン３１は、ベース板部２２とＵ字状板部２３、２４との間に挿入される。このとき、係合ピン３１は、Ｕ字状板部２３、２４に沿って配置され、上記背面３０に当接する。続いて操作板３３が操作されると、上記係止爪２８がＵ字状板部２３、２４と係合する。具体的には、同図が示すように、係止爪２８が弾性変形部２６の前面角部４６に当接し、当該前面角部４６から下面４７側に回り込むようにスライドされて下面４７に押圧される。つまり、この弾性変形部２６は、上記係合ピン３１と係止爪２８とによって挟み込まれる。これにより、上記溝２５が狭まるように弾性変形部２６が弾性変形し、Ｕ字状板部２３、２４は、確実に係合ピン３１と係合する。このようにＵ字状板部２３、２４が十分に弾性変形しながら上記ロック機構１３が機能するので、当該クーラーボックス１０の使用者にとって、操作板３３を操作する際の操作感がソフトである。
【００３１】
特に、本実施形態では、蓋体１２は金属製のフレーム３６に固定され、このフレーム３６に操作板３３が取り付けられている。したがって、蓋体１２に対する操作板３３のアライメントが維持され、上記蓋体１２が開閉される際の操作板３３の操作感がさらに向上する。しかも、図７が示すように、操作板３３の回動中心軸である連結ピン４２が係合ピン３１の近傍に配置されているので、係合ピン３１と係止爪２８によってＵ字状板部２３、２４が確実に挟持されるという利点がある。その結果、蓋体１２の閉状態が確実に維持される。
【００３２】
図８は、フレーム３６の変形例を示しており、（ａ）は平面図、（ｂ）は正面図、（ｃ）は右側面図である。
【００３３】
この変形例に係るフレーム３６が上記実施形態に係るフレーム３６と異なるところは、アーム３８、３９に係合ピン３１が取り付けられる座部４８が形成されている点である。この変形例では、上記係合ピン３１はフレーム３６と別部材として構成される。そして、係合ピン３１が上記座部４８に位置決めされ、固定される。なお、その他の構成については上記実施形態と同様である。
【符号の説明】
【００３４】
１０・・・クーラーボックス
１１・・・クーラー本体
１２・・・蓋体
１３・・・ロック機構
１５・・・上面
１６・・・開口
１７・・・ヒンジ
１８・・・アンカー
１９・・・フック
２０・・・前縁
２１・・・凹部
２２・・・ベース部材
２３・・・Ｕ字状板部
２４・・・Ｕ字状板部
２５・・・溝
２６・・・弾性変形部
２７・・・脚部
２８・・・係止爪
２９・・・長手方向
３０・・・背面
３１・・・係合ピン
３２・・・上端面
３３・・・操作板
３６・・・フレーム
４５・・・ヒンジ
【図１】
2013215120.tif 000003
【図２】
2013215120.tif 000004
【図３】
2013215120.tif 000005
【図４】
2013215120.tif 000006
【図５】
2013215120.tif 000007
【図６】
2013215120.tif 000008
【図７】
2013215120.tif 000009
【図８】
2013215120.tif 000010